(57)【要約】【課題】放射性物質で汚染された汚染水の水質浄化処理を効率よく行うようにして除染作業の中断がないようにする。【解決手段】汚染物質を含有していて水質浄化処理を必要とする汚染水を撹拌槽に供給し、該供給された汚染水に凝集剤を充填したものを撹拌機にて攪拌した後、静置することで凝集沈殿物と処理水とに分離し、これら分離した処理水と凝集沈殿物とを撹拌槽から各別に取り出すようにするにあたり、前記第一、第二撹拌槽２、３を設け、流路切換えをすることで第一、第二撹拌槽２、３での各別の水質浄化処理ができるように構成するための流路切換え手段を備えており、該流路切換え手段は、第一撹拌槽２で撹拌機８による撹拌工程に入ったことにタイミングを合わせて流路切換えをして第二撹拌槽３に汚染水の供給をするようにして、連続的な汚染水の供給ができるようにし、これにより除染作業が中断しないようにする。【選択図】図２
2015016442.tif 000002
【特許請求の範囲】
【請求項１】
汚染物質を含有していて水質浄化処理を必要とする汚染水を負圧で吸引して撹拌槽に供給し、該供給された汚染水に凝集剤を充填したものを撹拌機にて撹拌した後、静置することで凝集沈殿物と処理水とに分離し、これら分離した処理水と凝集沈殿物とを撹拌槽から各別に取り出すようにした水質浄化処理装置において、前記撹拌槽を複数配設し、流路切換えをすることで各撹拌槽での各別の水質浄化処理ができるように構成するための流路切換え手段を備えており、該流路切換え手段は、先行して水質浄化処理がなされている撹拌槽が撹拌機による撹拌工程に入ったことにタイミングを合わせて流路切換えをして後行順位の撹拌槽に汚染水の供給をするものであり、この切換えを前記複数の撹拌槽に順送りに実行するように構成したことを特徴とする水質浄化処理装置。
【請求項２】
撹拌工程は、凝集剤が供給される前半の過程では撹拌機が高速回転制御され、凝集沈殿物が成長する後半の過程では低速回転制御されるものであることを特徴とする請求項１記載の水質浄化処理装置。
【請求項３】
凝集沈殿物は、水抜け路が形成された凝集物受け容器に組み込んだフィルターに供給されることを特徴とする請求項１または２記載の水質浄化処理装置。
【請求項４】
汚染物質を含有していて水質浄化処理を必要とする汚染水を負圧で吸引して撹拌槽に供給する供給工程、該供給された汚染水に凝集剤を充填したものを撹拌機にて撹拌する撹拌工程、静置することで凝集沈殿物と処理水とに分離する分離工程、これら分離した処理水と凝集沈殿物とを撹拌槽から各別に取り出す取出し工程が順次行われるようにした水質浄化処理方法において、前記撹拌槽を複数配設し、流路切換えをすることで各撹拌槽での各別の水質浄化処理ができるように構成するための流路切換え手段を備えており、該流路切換え手段は、先行して水質浄化処理がなされている撹拌槽が撹拌機による撹拌工程に入ったことにタイミングを合わせて流路切換えをして後行順位の撹拌槽に汚染水の供給をするものであり、この切換えを前記複数の撹拌槽に順送りに実行するように構成したことを特徴とする水質浄化処理方法。
【発明の詳細な説明】
【技術分野】
【０００１】
本発明は、工事現場での汚泥水、雨水、排水などの汚泥水や放射性物質等の汚染物質を含有していて水質浄化処理が必要な汚染水を浄化する水質浄化処理装置および水質浄化処理方法の技術分野に関するものである。
【背景技術】
【０００２】
一般に、原子力発電所等に設置される原子炉が損なわれることで放射性物質が大気中に拡散することが考えられ、このように拡散される放射性物質としては、ヨウ素１３１、セシウム１３４、セシウム１３７、ロジウム１０６、コバルト６０、ストロンチウム９０、ラジウム２２６、ウラン２３４、ウラン２３５、ウラン２３８、プルトニウム２３９に代表される。このような放射性物質の中でも大量に発生するセシウム１３４、セシウム１３７、ストロンチウム９０は、半減期が約３０年と長く問題となる。これら放射性物質の沸点は、セシウムが６７１℃、ストロンチウムが１３８２℃であってセシウムの沸点が低いことから、放射性セシウムが大気中に広範囲に拡散することが考えられる。
そして拡散した放射性セシウムは、土壌では農地、住宅地、学校のグラウンド、下水道の汚泥、瓦礫についた土砂などに付着し、排水ではプール、浄水場、下水処理場、河川などに落ち、河川の場合は、環境水が海域へ流入し汚染が更に広がることが想定されるため、早期の浄化(除染)対策を講じる事により、放射性物質の拡散を防止し、被曝を防ぐ必要がある。
殊に都市部においては浄化(除染)作業を、洗浄水の飛散を防止しながら吐出した洗浄水をすぐに吸引回収する小回りの効く効率的な洗浄作業が求められているが、実際の現場作業では人手に頼る方式のものが多く、吸引回収した汚染水の処理に時間がかかりその処理時間の間は洗浄作業の中断を余儀なくされる結果となり、更なる効率的な作業を遂行できる装置が求められている現状にある。
このような放射性物質等の汚染物質を除去する手法として、凝集剤を用いて汚染物質を凝集沈殿させて分離し、これにより汚染物質含有水（汚染水）を水質浄化処理することが提唱されている（例えば特許文献１）。
【先行技術文献】
【特許文献】
【０００３】
【特許文献１】特開２０１２−２４７２１２号公報
【発明の概要】
【発明が解決しようとする課題】
【０００４】
しかしながら前記凝集剤を用いて汚染物質を凝集沈殿させる場合に、撹拌槽に供給した汚染水に凝集剤を添加し良く撹拌した後、静置して分離水と凝集沈殿物とを分離させ、さらに分離水と凝集沈殿物の取り出しに時間がかかり、この間、汚染水の撹拌槽への供給が滞ることになって除染作業の中断を余儀なくされ作業性が悪いという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、汚染物質を含有していて水質浄化処理を必要とする汚染水を負圧で吸引して撹拌槽に供給し、該供給された汚染水に凝集剤を充填したものを撹拌機にて撹拌した後、静置することで凝集沈殿物と処理水とに分離し、これら分離した処理水と凝集沈殿物とを撹拌槽から各別に取り出すようにした水質浄化処理装置において、前記撹拌槽を複数配設し、流路切換えをすることで各撹拌槽での各別の水質浄化処理ができるように構成するための流路切換え手段を備えており、該流路切換え手段は、先行して水質浄化処理がなされている撹拌槽が撹拌機による撹拌工程に入ったことにタイミングを合わせて流路切換えをして後行順位の撹拌槽に汚染水の供給をするものであり、この切換えを前記複数の撹拌槽に順送りに実行するように構成したことを特徴とする水質浄化処理装置である。
請求項２の発明は、撹拌工程は、凝集剤が供給される前半の過程では撹拌機が高速回転制御され、凝集沈殿物が成長する後半の過程では低速回転制御されるものであることを特徴とする請求項１記載の水質浄化処理装置である。
請求項３の発明は、凝集沈殿物は、水抜け路が形成された凝集物受け容器に組み込んだフィルターに供給されることを特徴とする請求項１または２記載の水質浄化処理装置である。
請求項４の発明は、汚染物質を含有していて水質浄化処理を必要とする汚染水を負圧で吸引して撹拌槽に供給する供給工程、該供給された汚染水に凝集剤を充填したものを撹拌機にて撹拌する撹拌工程、静置することで凝集沈殿物と処理水とに分離する分離工程、これら分離した処理水と凝集沈殿物とを撹拌槽から各別に取り出す取出し工程が順次行われるようにした水質浄化処理方法において、前記撹拌槽を複数配設し、流路切換えをすることで各撹拌槽での各別の水質浄化処理ができるように構成するための流路切換え手段を備えており、該流路切換え手段は、先行して水質浄化処理がなされている撹拌槽が撹拌機による撹拌工程に入ったことにタイミングを合わせて流路切換えをして後行順位の撹拌槽に汚染水の供給をするものであり、この切換えを前記複数の撹拌槽に順送りに実行するように構成したことを特徴とする水質浄化処理方法である。
【発明の効果】
【０００６】
請求項１および４の発明とすることにより、水質浄化処理が先行する撹拌槽が撹拌工程になると、後行する撹拌槽での汚染水の供給がなされ、これが順送りに実行されることになるため、除染作業により除染した汚染水の撹拌槽への供給が殆ど連続してできることになって除染作業の作業性が向上する。
請求項２の発明とすることにより、凝集剤がダマになることを回避して凝集剤の撹拌混合能が高くなりながら、沈殿凝集物の大きな成長がを果たすことができ、効率の良い浄化処理ができることになる。
請求項３の発明とすることにより、回収した凝集沈殿物からの水抜きが、凝集沈殿物の回収と同時にできることになり、作業効率が向上する。
【図面の簡単な説明】
【０００７】
【図１】水質浄化処理装置の回路図である。
【図２】第一撹拌槽での作業手順を記したフローチャート図である。
【図３】第二撹拌槽での作業手順を記したフローチャート図である。
【図４】他例を示した第一撹拌槽での作業手順の一部を記したフローチャート図である。
【図５】他例を示した第二撹拌槽での作業手順の一部を記したフローチャート図である。
【図６】水質浄化処理装置の正面図である。
【図７】水質浄化処理装置の平面図である。
【図８】水質浄化処理装置の側面図である。
【図９】凝集物受け容器の一部切欠き正面図である。
【発明を実施するための形態】
【０００８】
以下、本発明の実施の形態について、放射能物質に汚染されたものの除染処理を例にして図面に基づいて説明する。図面において、１は放射能物質に汚染されたものを高圧洗浄水を用いて除染する（高圧除染装置については汎用のものであるので説明を省略する。）ことで発生する放射性物質を含む放射性物質汚染水（以下「汚染水」という。）から放射性物質（以下「汚染物」という。）を浄化処理するための小型の水質浄化処理装置であって、該水質浄化処理装置１は、移動可能な架台１ａに搭載されていて作業者が押し引きすることで簡単に移動可能であるが、第一、第二の撹拌槽２、３と吸引機４とを備えて構成されるものであるが、第一、第二撹拌槽２、３の上部に設けられる流入口２ａ、３ａは配管２ｂ、３ｂを介して第一の三方切換え弁５に接続されるが、該第一三方切換え弁５はさらに配管６ａを介して、高圧洗浄水が吐出されて洗浄されると同時のタイミングで瞬時に前記汚染水を吸引する吸引口６に接続されている。そして第一三方切換え弁５を流路切換えすることで、吸引口６から吸引した汚染水を第一、第二撹拌槽２、３に各別に切換え供給できるようになっている。
因みに、水質浄化処理装置１は、架台１ａ、撹拌槽２、３、後述する制御盤Ｘ、各種ホース、フィルタ２０、２１等の各部品が分解、組立可能になっており、これらを分解することで各部品を人力での持ち運びが容易にでき、またトラックによる搬送も容易にできるように配慮されている。
【０００９】
さらに第一、第二撹拌槽２、３の上部には吸引口２ｃ、３ｃが形成されるが、該吸引口２ｃ、３ｃは配管２ｄ、３ｄを介して第二の三方切換え弁７に接続されるが、該第二三方切換え弁７はさらに配管４ａを介して前記吸引機４に接続されている。そして第二三方切換え弁７を流路切換えすることで、吸引機４が駆動することによる吸引力（負圧）を第一、第二撹拌槽２、３に各別に切換えて供給できるようになっている。
【００１０】
前記第一、第二撹拌槽２、３には、それぞれ第一、第二の撹拌機８、９と、第一、第二撹拌槽２、３内の水量検知をする第一、第二水量検知センサ１０、１１と、第一、第二撹拌槽２、３に凝集剤を投入する第一、第二凝集剤投入器１２、１３が設けられているが、該第一、第二凝集剤投入器１２、１３は、凝集剤の非投入時には外気と遮断（密封）できるようになっており、そして開口することで後述する処理水や凝集沈殿物の取り出し時に槽内に外気を導入できるようになっているが、別途、外気を各槽内に供給するため開閉弁がそれぞれ設けられた空気流入口を設けるようにしても勿論よい。
【００１１】
また、前記第一、第二撹拌槽２、３の傾斜状の底部２ｅ、３ｅ下端には開閉弁１４ａ、１５ａを備えた凝集沈殿物排出用の配管１４、１５が先端側ほど低位となっていて凝集沈殿物の流出が促進されるよう傾斜状に接続され、該底部よりは上方であって、汚染水に後述するように凝集剤を添加処理して処理水と凝集沈殿物とに分離した場合に、沈殿した凝集沈殿物の表層よりも上位位置にして処理水排出用配管１６、１７が設けられるが、該処理水排出用配管１６、１７は開閉弁１６ａ、１７ａを経由したものが合流して、処理水引き抜き用ポンプ１８ａを備えた合流配管１８になり、該合流配管１８は、第三の三方切換え弁１９に至り、ここで配管２０ａ、２１ａに分岐されて第一、第二のフィルター２０、２１に至るようになっており、前記処理水は、第三三方切換え弁１９の切換えにより第一、第二フィルター２０、２１の何れか一方により濾過されたものが逆止弁２０ｂ、２１ｂを有する配管２０ｃ、２１ｃを経由して放出されるようになっている。因みに、第一、第二フィルター２０、２１を並列配置して何れか一方により濾過している理由は、フィルターのメンテ、交換作業を容易にするためで除染作業の連続性に寄与させるためのものである。
【００１２】
つぎに、制御盤（制御装置）Ｘによる汚染水から汚染物質を分離除去する制御手順についてフローチャート図を用いて説明する。まず、第一撹拌槽２の制御手順であるが、システムがスタートすると、付属の報告灯（図示せず）が消灯状態であり、初回であるか否かの判断（Ｓ１）がなされ、初回である（ＹＥＳ）と判断された場合、次に第一撹拌槽２に設けた第一水量検知センサ１０が予め設定される低水位であるとする「Ｌｏｗ」のレベルであるか否かの判断（Ｓ２）がなされるが、前記Ｓ１の判断で初回でない（ＮＯ）と判断された場合、さらに第二撹拌機９が駆動したか否かの判断（Ｓ３）がなされ、第二撹拌機９が駆動したと判断（ＹＥＳ）されることで前記Ｓ２の判断がなされる。
前記Ｓ２の判断においてＹＥＳの判断がなされると、Ｓ４において除染作業を開始すると共に、吸引機４が駆動し、第一三方切換え弁５を配管２ｂ側に切換え、第二三方切換え弁７を配管２ｄ側に切換える。これにより、吸引機４による吸引圧が、配管４ａ、第二三方切換え弁７、配管２ｄ、第一撹拌槽２、配管２ｂ、第一三方切換え弁５、配管６ａを経由して給水口６に至り、前記除染作業により発生した汚染水が第一撹拌槽２に供給されることになる。
【００１３】
次に第一水量検知センサ１０の水位が予め設定される高水位であるとする「Ｈｉｇｈ」のレベルであるか否かの判断（Ｓ５）がなされ、「Ｈｉｇｈ」になったと判断（ＹＥＳ）されると前記報告灯が点灯すると共に、Ｓ６において除染作業の停止、吸引機４の停止をし、さらにＳ７において第一撹拌機８が駆動すると共に、第一凝集剤投入器１２から予め設定された量の凝集剤が第一撹拌槽２に投入されるようになっている。
第一撹拌機８の撹拌時間が予め設定される撹拌時間Ｔ１を経過したか否かの判断（Ｓ８）がなされ、経過したとしてＹＥＳの判断がなされると、Ｓ９において第一撹拌機８が停止する。この第一撹拌機８の停止時間が、処理水中に含まれる物質が凝集沈殿した時間である（予め前実験にて確定しておく）として予め設定される静止時間Ｔ２を経過したか否かの判断（Ｓ１０）がなされ、静止時間Ｔ２を経過したとしてＹＥＳの判断がなされると、Ｓ１１において、開閉弁１６ａを開成した後、水引き抜き用ポンプ１８ａが駆動する。これにより、第一撹拌槽２内で凝集沈殿物が分離し浄化された処理水が、配管１６、１８、第三三方切換え弁１９を経て、第一、第二フィルター２０、２１の何れか一方に供給されて濾過されたものが排水される。第一、第二フィルター２０、２１は、濾過能力が低下したことの見極めで交互に使用され、濾過能力が低下したものは他方でろ過している間の時間を利用してフィルターの交換をすることになり、これにより連続濾過が可能となる。
【００１４】
そして第一水量検知センサ１０の水位が「Ｌｏｗ」レベルになったか否かの判断（Ｓ１２）がなされ、「Ｌｏｗ」レベルになったとしてＹＥＳの判断がなされると、前記付属の報告灯が消灯すると共に、処理水引き抜き用ポンプ１８ａを停止すると共に開閉弁１６ａを開成が実行され、さらにＳ１４において第一開閉弁１４ａを開成して第一撹拌槽２に沈殿している凝集沈殿物を取出す。そしてこの凝集沈殿物の取り出しがなされたか否かの判断（Ｓ１５）がなされ、凝集沈殿物の取り出しがなされたとしてＹＥＳの判断がなされると第一開閉弁１４ａを閉成しリターンする。
【００１５】
次に第二撹拌槽３の制御手順であるが、これはＳ１の初回の判断があるか否かが相違するだけで、基本的には第一撹拌槽２の制御手順と同じである。まず第一撹拌機８が駆動したか否かの判断（Ｓ１６）がなされ、駆動したとしてＹＥＳの判断がなされると次に第二撹拌槽２に設けた第二水量検知センサ１１が予め設定される低水位であるとする「Ｌｏｗ」のレベルであるか否かの判断（Ｓ１７）がなされるが、前記Ｓ１７の判断において「Ｌｏｗ」レベルであるとしてＹＥＳの判断がなされると、Ｓ１８において除染作業を開始すると共に、吸引機４が駆動し、第一三方切換え弁５を配管３ｂ側に切換え、第二三方切換え弁７を配管３ｄ側に切換える。これにより、吸引機４による吸引圧が、配管４ａ、第二三方切換え弁７、配管３ｄ、第二撹拌槽３、配管３ｂ、第一三方切換え弁５、配管６ａを経由して給水口６に至り、前記除染作業により発生した汚染水が第二撹拌槽３に供給されることになる。
【００１６】
次に第二水量検知センサ１１の水位が予め設定される高水位であるとする「Ｈｉｇｈ」のレベルであるか否かの判断（Ｓ１９）がなされ、「Ｈｉｇｈ」になったと判断（ＹＥＳ）されると前記報告灯が点灯すると共に、Ｓ２０において除染作業の停止、吸引機４の停止し、さらにＳ２１において第二撹拌機９が駆動すると共に第二凝集剤投入器１３からあらかじめ定められた量の凝集剤が第二撹拌槽３に投入されるようになっている。
第二撹拌機９の撹拌時間が予め設定される撹拌時間Ｔ１を経過したか否かの判断（Ｓ２２）がなされ、経過したとしてＹＥＳの判断がなされると、Ｓ２３において第二撹拌機９が停止する。この第二撹拌機９の停止時間が、処理水中に含まれる物質が凝集沈殿した時間である（予め前実験にて確定しておく）として予め設定される静止時間Ｔ２を経過したか否かの判断（Ｓ２４）がなされ、静止時間Ｔ２を経過したとしてＹＥＳの判断がなされると、Ｓ２５において、開閉弁１７ａが開成した後、処理水引き抜き用ポンプ１８ａが駆動する。これにより、第二撹拌槽３内で凝集沈殿物が分離し浄化された処理水が、配管１７、１８、第三三方切換え弁１９を経て、第一、第二フィルター２０、２１の何れか一方に供給されて濾過されたものが排水される。
【００１７】
そして第二水量検知センサ１１の水位が「Ｌｏｗ」レベルになったか否かの判断（Ｓ２６）がなされ、「Ｌｏｗ」レベルになったとしてＹＥＳの判断がなされると、前記付属の報告灯が消灯すると共に、処理水引き抜き用ポンプ１８ａを停止すると共に開閉弁１７ａを開成が実行され（Ｓ２７）、さらにＳ２８において第二開閉弁１５ａを開成して第二撹拌槽３に沈殿している凝集沈殿物を取出す。そしてこの凝集沈殿物の取り出しがなされたか否かの判断（Ｓ２９）がなされ、凝集沈殿物の取り出しがなされたとしてＹＥＳの判断がなされると第二開閉弁１５ａが閉成し（Ｓ３０）リターンする。
沈殿凝集物は、凝集物受け容器２２に供給されるが、該凝集物受け容器２２は、底部（または低部）にドレン２２ａ（水抜け路）が形成された有底筒状のものにフィルター２３が組み込まれたものになっており、そしてフィルター２３内に沈殿凝縮物を供給すると、沈殿凝集物に交じっている水が水抜け路から抜け出ることになって、水抜きされた沈殿凝集物の効率の良い回収ができるようになっている。ここでドレン２２ａを開閉弁付きのものとすることで、沈殿凝集物を供給した沈殿物受け容器２２を排水溝等の排水してもよい別の個所に運び、ここで開閉弁を開くことでフィルター２３で濾過された水の排水ができることになって水の垂れ流しを防止することができる。
【００１８】
叙述の如く構成された本実施の形態において、第一、第二の撹拌槽２、３が配設され、該第一、第二撹拌槽２、３への吸引による汚染水の供給、凝集剤が添加された汚染水の撹拌機８、９による撹拌、静止による凝集沈殿物と処理水との分離、処理水および凝集沈殿物の取り出しを各別に行うことができながら、第二撹拌槽３への汚染水の供給が、第一撹拌槽２において第一撹拌機８が駆動したことにタイミングを合わせて行われることになる結果、第一、第二撹拌槽２、３による水質浄化処理が、汚染水の供給工程と、撹拌工程、分離工程、並びに取出し工程とが交互に並行して行われることになり、このため汚染水の各撹拌槽２、３への供給が殆ど連続して行われることになって、除染作業を中断することが殆どなくなり、作業性が向上する。
【００１９】
尚、本発明は前記実施の形態に限定されるものでないことは勿論であって、例えば静止による分離工程に時間がかかるような場合、撹拌槽をさらに増やして三基以上とし、先行して水質浄化処理がなされている撹拌槽が撹拌機による撹拌工程に入ったことにタイミングを合わせて流路切換えをして次の順位の撹拌槽に汚染水の供給をし、該次の撹拌槽での撹拌工程が始まったことにタイミングを合わせてさらに次の撹拌槽に汚染水の供給をするようにして、撹拌工程が始まったことにタイミングを合わせた撹拌槽への汚染水の供給を順送りに実行するように構成したものであればよい。
【００２０】
なお、本発明は、前記実施の形態に限定されないものであることは勿論であって、例えば凝集剤がダマになりやすいものである場合、Ｓ６、Ｓ２０の除染作業を停止し、吸引機４を停止した後の第一または第二撹拌機８または９を駆動させると共に、凝集剤を供給してから、Ｓ９またはＳ２３の第一または第二撹拌機８または９を停止するまでの過程を、図４、５に示すように第一または第二撹拌機８または９を高速回転させて凝集剤がダマになることを回避してよく撹拌混合した後、低速回転させるようにして凝集が促進されるように配慮することができる。
つまり、Ｓ７−１、Ｓ２１−１で第一、第二撹拌機８、９を高速回転させると共に凝集剤の供給をし、第一撹拌時間Ｔ１ｘが経過したと判断（Ｓ８−１、Ｓ２２−１）されたら、第一、第二撹拌機８、９を低速回転させ（Ｓ７−２、Ｓ２１−２）、第二撹拌時間Ｔ１ｙが経過したと判断（Ｓ８−２、Ｓ２２−２）されたら、第一、第二撹拌機８、９を停止する（Ｓ９、Ｓ２３）よう制御することができ、これによって凝集剤がダマになることを防止しながら、大きい沈殿凝集物に成長させることができるように配慮している。因みに、このような撹拌機８、９の減速は二段階でなく、多段階的に行うこともでき、さらには連続的な減速であっても勿論よい。
【産業上の利用可能性】
【００２１】
本発明は、放射性物質等の汚染物質を含有していて水質浄化処理が必要な汚染水を浄化する水質浄化処理装置および水質浄化処理方法に利用することができる。また、建築工事現場の汚濁水の清水処理、雨水、排水などの浄化による清水処理などにも使用できる。
【符号の説明】
【００２２】
１  水質浄化処理装置
２、３  第一、第二撹拌槽
４  吸引機
８、９  第一、第二撹拌機
【図１】
2015016442.tif 000003
【図２】
2015016442.tif 000004
【図３】
2015016442.tif 000005
【図４】
2015016442.tif 000006
【図５】
2015016442.tif 000007
【図６】
2015016442.tif 000008
【図７】
2015016442.tif 000009
【図８】
2015016442.tif 000010
【図９】
2015016442.tif 000011